(57)【要約】【課題】安価な可視光光源を搭載した読み取り装置を用いた場合でも、判別情報が読み取り可能な印刷物を形成できるインク組成物を提供すること。【解決手段】本発明のインク組成物は、着色剤としてメチン系カチオン染料と、水と、保湿剤と、界面活性剤とを含有することを特徴とし、好ましくはインクジェット用インクに適用される。このインクにおける着色剤の含有量は、０．１〜５ｗｔ％であるのが好ましい。さらに、インク組成物は、必要に応じてｐＨ調整剤を含有するのが好ましい。【選択図】なし【特許請求の範囲】
【請求項１】
着色剤としてメチン系カチオン染料と、水と、保湿剤と、界面活性剤とを含有することを特徴とするインク組成物。
【請求項２】
前記着色剤の含有量は、０．１〜５ｗｔ％である請求項１に記載のインク組成物。
【請求項３】
前記保湿剤の含有量は、３〜４０ｗｔ％である請求項１または２に記載のインク組成物。
【請求項４】
前記界面活性剤は、アセチレングリコール系界面活性剤である請求項１ないし３のいずれかに記載のインク組成物。
【請求項５】
ｐＨ調整剤を含有する請求項１ないし４のいずれかに記載のインク組成物。
【発明の詳細な説明】
【０００１】
【発明の属する技術分野】
本発明は、インク組成物に関するものである。
【０００２】
【従来の技術】
従来、印刷物の真正品と偽造品とを判別する方法として、印刷物に特殊インクを用いて判別情報を印刷することが行われている。
この特殊インクとして、紫外線を吸収して蛍光を発光する各種のインク組成物が提案されている（例えば、特許文献１、特許文献２参照）。
ところが、かかる方法では、印刷物の判別情報の認識、すなわち判別情報の印刷領域からの蛍光発光有無の確認は目視にて行われるのが一般的であり、スキャナ等の光学読み取り装置には、紫外線光源を搭載した製品はほとんど市販されていないのが現状である。
【０００３】
これは、次のような理由からである。第一には、スキャナ用紫外線光源が非常に高価であるため、読み取り装置全体が高価となるという問題があり、第二には、紫外線のような高エネルギー光を繰り返し照射すると、ＣＣＤの感度低下が生じ、読み取り特性が悪化するという問題があるからである。すなわち、紫外線を吸収して蛍光を発光するインク組成物を用いて、印刷物に判別情報を印刷する場合は、安価なスキャナ等の光学読み取り装置を用いて、印刷物の判別情報を認識することは困難であった。
【０００４】
光学読み取り装置に関するこのような問題を解決する観点からは、光学読み取り装置に搭載する光源として可視光光源を使用することが考えられる。
この場合、判別情報を印刷するインク組成物には、可視光を吸収し、吸収した光よりも長波長の可視光を発光する蛍光材料を含むもの（例えば、特許文献３参照）を用いることができる。
【０００５】
ところが、特許文献３に記載のインクは、４２０ｎｍ前後の波長の光を吸収し、６５０ｎｍ付近の波長の光を発光するものであり、このような４２０ｎｍ付近の波長の光を照射する光源は、４８０ｎｍより長波長で発光する光源と比較すると、やはり非常に高価であり、安価な光学読み取り装置を提供することができない。
【０００６】
【特許文献１】
特開２０００−２６３９１３号公報
【特許文献２】
特開平８−２３９６０７号公報
【特許文献３】
特開平５−２７９６０９号公報
【０００７】
【発明が解決しようとする課題】
本発明の目的は、安価な可視光光源を用いた光学読み取り装置を用いた場合であっても、真正品と偽造品とを判別することが可能な判別情報を印刷することのできるインク組成物を提供することにある。
【０００８】
【課題を解決するための手段】
このような目的は、下記の本発明により達成される。
本発明のインク組成物は、着色剤としてメチン系カチオン染料と、水と、保湿剤と、界面活性剤とを含有することを特徴とする。
本発明によれば、例えば、本発明のインク組成物で判別情報を印刷した印刷物において、安価な可視光光源を用いた光学読み取り装置で判別情報を読み取る場合でも、光学的に十分な検出特性を付与することができる。
【０００９】
本発明のインク組成物では、前記着色剤の含有量は、０．１〜５ｗｔ％であることが好ましい。
これにより、例えば、本発明のインク組成物で判別情報を印刷した印刷物において、安価な可視光光源を用いた光学読み取り装置で判別情報を読み取る場合でも、光学的に十分な検出特性を付与することができるとともに、例えばインクジェット記録用インクへ適用した場合には、インクのヘッドでのノズル目詰まりをより確実に防止することができる。
本発明のインク組成物では、前記保湿剤の含有量は、３〜４０ｗｔ％であることが好ましい。
これにより、例えばインクジェット記録用インクへ適用した場合には、インクのヘッドでのノズル目詰まりをより確実に防止することができる。
【００１０】
本発明のインク組成物では、前記界面活性剤は、アセチレングリコール系界面活性剤であることが好ましい。
アセチレングリコール系界面活性剤は、インクの表面張力を低下させる機能や、インクの乾燥速度を調節する機能に優れるとともに、着色剤の溶媒への溶解性、インクの紙（被記録媒体）への浸透性を向上させることもできる。
本発明のインク組成物では、ｐＨ調整剤を含有することが好ましい。
カチオン染料を用いたインク組成物では、一般的に、そのｐＨが酸性となり、人体への安全性が低下するおそれがあるが、ｐＨをより中性領域に調整することにより、インク組成物の人体に対する安全性の向上を図ることができる。
【００１１】
【発明の実施の形態】
以下、本発明のインク組成物の好適な実施形態について説明する。
本発明のインク組成物は、インクジェット記録方法、ペン等による筆記具による記録方式、その他各種の印字方式等の用途に適用することができるが、以下では、本発明のインク組成物を、インクジェット記録方法の用途に適用した場合、すなわち、インクジェット記録用インクに適用した場合を代表に説明する。
インクジェット記録方法では、インクジェット方式によりヘッドのノズルからインクを吐出する。ヘッドとしては、従来より知られている各種のオンデマンド印刷方式のインクジェットプリンタに使用されているヘッドをそのまま使用することが可能である。
【００１２】
このインクジェット方式によるインクの吐出は、例えば図１および図２に示すような構成のヘッドを用いて行なわれる。
図１は、本発明に用いられるヘッドの外観斜視図、図２は、図１に示すヘッドを図１中の矢印方向から見た断面図である。なお、図１および図２は、通常使用される状態とは、上下逆に示されている。また、以下の説明では、図２中左側を「前」、右側を「後」と言う。
【００１３】
図１に示すヘッド２は、ノズル板２１、キャビティ板２２および配線板２３とを有しており、キャビティ板２２を挟むようにしてノズル板２１と配線板２３が配置されている。
ノズル板２１は、例えばホウ珪酸系ガラス等で構成されている。このノズル板２１は、薄肉部２１１と、その両側に形成された厚肉部２１２とを有し、薄肉部２１１には、複数のノズル孔２１３が形成されている。
このノズル孔２１３の形状は、例えば円形であり、その直径は、例えば２０〜４０μｍ程度である。
【００１４】
キャビティ板２２は、例えばシリコン基板にエッチングを施すことにより形成されたものである。このキャビティ板２２は、ノズル板２１との対向面に複数の段差が設けられ、ノズル板２１との間に空隙が画成（形成）されている。
この空隙は、各々区切られた複数の圧力室２４と、圧力室２４の後部に設けられたオリフィス２５と、圧力室２４にインクを供給する共通インク室２６とを有しており、共通インク室２６の後部には、インク取込口（図示せず）が設けられている。
また、キャビティ板２２の圧力室２４の底部に対応する部分は、薄肉とされており、圧力室２４の圧力を変動させる振動板２７として機能する。
【００１５】
配線板２３は、例えばホウ珪酸系ガラスで構成されている。この配線板２３は、振動板２７と対向する部分が凹部とされており、振動板２７との間に振動室２８が形成されている。この振動室２８の底面には、振動板２７に対向する各々の位置にＩＴＯ導電膜が、例えばスパッタ等により個別電極２９として形成されている。なお、個別電極２９は、それぞれ、リード部および端子部（図示せず）に接続されている。
この振動板２７、振動室２８および個別電極２９によって、静電アクチュエータが構成されている。
【００１６】
また、このヘッド２には、振動板２７、振動室２８および個別電極２９で構成される静電アクチュエータに、信号を送出するためのヘッドＦＰＣ（フレキシブル・プリント・サーキット）の端子部が列状に配置されている。
また、ヘッドＦＰＣは、後述するインクジェット記録装置１の本体側に設けられた駆動回路に電気的に接続されており、ヘッドＦＰＣを前記端子部に接続することによって、共通電極（図示せず）と個別電極２９とが前記駆動回路に接続されている。
【００１７】
このようなヘッド２では、駆動回路により静電アクチュエータに充電が行われ、ここに発生する静電気力によって、振動板２７が個別電極２９側に撓む。これにより、圧力室２４内の圧力が低下し、共通インク室２６から圧力室２４内にインクが引き込まれる。その後、充電を停止し、静電アクチュエータに蓄えられた電荷を急激に放電すると、振動板２７自体の弾性力で振動板２７は、ほぼ元の形状に復元する。この時、圧力室２４内の圧力が急激に上昇し、ノズル孔２１３よりインク液滴３０が吐出され、被記録媒体上に付着することにより所望の画像、図形、文字等の各種情報が印刷（記録）される。
【００１８】
次に、上記ヘッド２を組み込んだインクジェット記録装置の一例について説明する。
図３は、インクジェット記録装置の構成例を示す斜視図である。
図３に示すインクジェット記録装置１において、ヘッド２は、キャリッジ３に搭載され、ガイド軸４によりガイドされてキャリッジモータ５によりベルト６を介して矢印Ｂおよび矢印Ｃ方向に移動する。
また、キャップ７は、ヘッド２のノズル孔２１３を有する面のキャッピングを行う。
このインクジェット記録装置１では、印字紙（被記録媒体）８は、紙送りローラ９と紙押えローラ１０とにより搬送され、ヘッド２の下を通過する。この際に、印字紙８には、ヘッド２のノズル孔２１３から吐出されるインクによって印刷が行われ、排出ローラ１１によってインクジェット記録装置１から排出される。
【００１９】
次に、本発明のインク組成物について説明する。
本発明のインク組成物は、水を主成分とし、保湿剤と、界面活性剤とを含む溶媒に、着色剤としてメチン系カチオン染料を溶解してなるものである。
保湿剤は、インクに適度な粘度を与え、またインクのヘッドでのノズル目詰まりをより確実に防止することができる。
また、保湿剤は、着色剤のノズルの表面への析出、ノズル内での着色剤の凝集を防止する機能も有する。
【００２０】
保湿剤としては、例えば、エチレングリコール、ジエチレングリコール、トリエチレングリコール、テトラエチレングリコール、プロピレングリコール、ジプロピレングリコール、トリプロピレングリコール、分子量２０００以下のポリエチレングリコール、１、３−プロピレングリコール、イソプロピレングリコール、１、４−ブタンジオール、１、３−ブタンジオール、１、５−ペンタンジオール、１、６−ヘキサンジオール、グリセリン、チオジグリコール等が挙げられるが、特に、グリセリン、１，５−ペンタンジオール、エチレングリコール、ジエチレングリコール、または、これらを含む混合物が好適である。これらのものを用いることにより、インクの粘度を適正に制御することができるとともに、ノズルの目詰まりをより確実に防止することができる。
保湿剤の含有量は、特に限定されないが、３〜４０ｗｔ％程度であるのが好ましく、５〜３０ｗｔ％程度であるのがより好ましい。保湿剤の含有量を、このような範囲とすることにより、前記効果がより顕著に発揮される。
【００２１】
界面活性剤は、インクの表面張力を低下させることにより、ノズルからの安定した吐出を可能とするとともに、インクをすばやく乾燥させる機能を有する。
界面活性剤としては、公知のアニオン系、カチオン系、ノニオン系の界面活性剤のいずれをも使用することができるが、これらの中でも、特にアセチレングリコール系界面活性剤が好適である。界面活性剤として、アセチレングリコール系界面活性剤を用いることにより、前記効果をより向上させることができるとともに、着色剤の溶媒への溶解性、インクの紙（被記録媒体）への浸透性を向上させることもできる。
このアセチレングリコール系界面活性剤の市販品としては、例えば、サーフィノール１０４、８２、４６５、４８５（いずれも、Ａｉｒ  Ｐｒｏｄｕｃｔｓ  ａｎｄ  Ｃｈｅｍｉｃａｌｓ製）等が挙げられ、これらのうちの１種または２種以上を組み合わせて用いることができる。
界面活性剤の含有量は、特に限定されないが、０．１〜５．０ｗｔ％程度であるのが好ましい。界面活性剤の含有量を、このような範囲とすることにより、前記効果がより顕著に発揮される。
【００２２】
本発明には、着色剤としてメチン系カチオン染料が用いられる。本発明に用いられるメチン系カチオン染料は、可視光（具体的には、波長５００〜５５０ｎｍに半値幅の小さいピークを有する光）を吸収した場合に、ストークスシフト幅が大きく、かつ強度の大きい蛍光を発生させる染料である。
このようなメチン系カチオン染料としては、Ｃ．Ｉ．Ｂａｓｉｃ  Ｏｒａｎｇｅ２１、Ｃ．Ｉ．Ｂａｓｉｃ  Ｒｅｄ１３、Ｃ．Ｉ．Ｂａｓｉｃ  Ｒｅｄ１４、Ｃ．Ｉ．Ｂａｓｉｃ  Ｒｅｄ１５、Ｃ．Ｉ．Ｂａｓｉｃ  Ｒｅｄ３５、Ｃ．Ｉ．Ｂａｓｉｃ  Ｒｅｄ３６、Ｃ．Ｉ．Ｂａｓｉｃ  Ｖｉｏｌｅｔ７、Ｃ．Ｉ．Ｂａｓｉｃ  Ｖｉｏｌｅｔ１５、Ｃ．Ｉ．Ｂａｓｉｃ  Ｖｉｏｌｅｔ２０、Ｃ．Ｉ．Ｂａｓｉｃ  Ｖｉｏｌｅｔ２７等が挙げられ、これらのうちの１種または２種以上を組み合わせて用いることができる。
【００２３】
着色剤の含有量は、着色剤（メチン系カチオン染料）の蛍光発光効率や可視光下での着色力に左右されるため、特に限定されないが、０．１〜５ｗｔ％程度であるのが好ましい。着色剤の含有量が少な過ぎると、着色剤（メチン系カチオン染料）の種類等によっては、十分な発光強度が得られない場合があり、一方、着色剤の含有率が多過ぎると、ノズルの目詰まりが発生しやすくなり、印刷信頼性が低下するおそれがある。
【００２４】
本発明では、着色剤としてメチン系カチオン染料を用いるため、インクのｐＨが低下する。このため、インクには、必要に応じて、ｐＨ調整剤を添加して、インクのｐＨを中性領域側に調整する。これにより、インクの人体に対する安全性の向上を図ることができる。
ｐＨ調整剤としては、各種塩基性化合物を用いることができる。塩基性化合物の具体例としては、例えば、トリエタノールアミンのようなアミン系化合物、水酸化リチウム、水酸化カリウム、水酸化ナトリウムのようなアルカリ金属塩、水酸化マグネシウム、水酸化カルシウムのようなアルカリ土類金属塩、またはこれらを含む混合物等を用いることができる。
【００２５】
このようなインクは、次のような条件を満足するものであるのが好ましい。
図４は、蛍光を検出する方法を示す模式図である。
この図に示すように、インクを用いて記録部を形成した普通紙９００に、光源９１０から回折格子で光を分光し、スリット幅５ｎｍの条件で取り出した５００ｎｍの波長の光を、普通紙９００の垂直方向に対して４５°（図４中θで示す）傾斜した方向から照射して、普通紙９００の垂直方向において、普通紙９００からの光をスリット幅５ｎｍの条件で受光し、回折格子で光を分光して受光素子９２０により受光する。
【００２６】
このとき、記録部における５３０ｎｍより長い波長の光の強度が、普通紙９００の記録部が形成されていない部分における５２５ｎｍ以下の波長の光の強度の３％以上であるのが好ましく、５％以上であるのがより好ましい。このような条件を満足するインク（本発明のインク組成物）を用いて形成された判別情報は、上記構成と同様の構成を有する光学読み取り装置により精度よく検出される。
【００２７】
以上説明したように、本発明のインク組成物を用いることにより、安価な可視光光源を搭載した光学読み取り装置を用いた場合でも、印刷された判別情報に関して十分な検出特性が得られる。このため、インク組成物を用いて、例えば真正品と偽造品とを判別する判別情報を印刷物に印刷（印字）しておくことにより、より精度よく真偽判定を行うことができる。
【００２８】
以上、本発明のインク組成物について説明したが、本発明は、これに限定されるものではない。
また、前記実施形態では、インクジェット記録用インクを代表に説明したが、本発明のインク組成物は、ペン等の筆記具や、その他の用途に適用することができるものである。
【００２９】
【実施例】
以下、本発明の具体的実施例について説明する。
１．インク組成物の調製
（実施例１〜３）
着色剤ＡとしてＣ．Ｉ．Ｂａｓｉｃ  Ｒｅｄ１５を含有する組成物（日成化成製、「Ｎｉｃｈｉｌｏｎ  ＲｅｄＥ−２Ｂ  ２００％」）と、エチレングリコール（保湿剤）と、アセチレングリコール系界面活性剤（Ａｉｒ  Ｐｒｏｄｕｃｔｓ  ａｎｄ  Ｃｈｅｍｉｃａｌｓ製、「サーフィノール８２」）と、トリエタノールアミン（ｐＨ調整剤）と、水とを、表１に示すような混合比（配合比）で混合してインク組成物を得た。
【００３０】
（実施例４〜７）
着色剤ＢとしてＣ．Ｉ．Ｂａｓｉｃ  Ｒｅｄ１４を含有する組成物（日成化成製、「Ｎｉｃｈｉｌｏｎ  Ｂｒｉｌｌ．Ｒｅｄ４Ｇ」）と、エチレングリコール（保湿剤）と、アセチレングルコール系界面活性剤（Ａｉｒ  Ｐｒｏｄｕｃｔｓａｎｄ  Ｃｈｅｍｉｃａｌｓ製、「サーフィノール８２」）と、トリエタノールアミン（ｐＨ調整剤）と、水とを、表１に示すような混合比（配合比）で混合してインク組成物を得た。
【００３１】
（実施例８）
着色剤ＢとしてＣ．Ｉ．Ｂａｓｉｃ  Ｒｅｄ１４を含有する組成物に代えて、着色剤ＣとしてＣ．Ｉ．Ｂａｓｉｃ  Ｒｅｄ３５を含有する組成物（日成化成製、「Ｎｉｃｈｉｌｏｎ  Ｐｉｎｃ  Ｒ」）：０．２５ｗｔ％と、着色剤ＤとしてＣ．Ｉ．Ｂａｓｉｃ  Ｖｉｏｌｅｔ１５を含有する組成物（日成化成製、「Ｎｉｃｈｉｌｏｎ  Ｂｒｉｌｌ．Ｒｅｄ３ＢＧ」）：０．２５ｗｔ％とを用いた以外は、前記実施例４と同様にしてインク組成物を得た。
【００３２】
（実施例９）
保湿剤として、エチレングリコールに代えて、１，５−ペンタンジオールを用いた以外は、前記実施例４と同様にしてインク組成物を得た。
（実施例１０）
保湿剤として、エチレングリコールに代えて、１，５−ペンタンジオール：３．５ｗｔ％とグリセリン：４．０ｗｔ％とを用いた以外は、前記実施例４と同様にしてインク組成物を得た。
【００３３】
（実施例１１）
界面活性剤として、アセチレングルコール系界面活性剤（Ａｉｒ  Ｐｒｏｄｕｃｔｓ  ａｎｄ  Ｃｈｅｍｉｃａｌｓ製、「サーフィノール８２」）に代えて、アセチレングルコール系界面活性剤（Ａｉｒ  Ｐｒｏｄｕｃｔｓ  ａｎｄ  Ｃｈｅｍｉｃａｌｓ製、「サーフィノール１０４」）：０．５ｗｔ％を用いた以外は、前記実施例４と同様にしてインク組成物を得た。
【００３４】
（実施例１２）
界面活性剤として、アセチレングルコール系界面活性剤（Ａｉｒ  Ｐｒｏｄｕｃｔｓ  ａｎｄ  Ｃｈｅｍｉｃａｌｓ製、「サーフィノール８２」）に代えて、アセチレングルコール系界面活性剤（Ａｉｒ  Ｐｒｏｄｕｃｔｓ  ａｎｄ  Ｃｈｅｍｉｃａｌｓ製、「サーフィノール１０４」）：０．２５ｗｔ％と、アセチレングルコール系界面活性剤（Ａｉｒ  Ｐｒｏｄｕｃｔｓ  ａｎｄ  Ｃｈｅｍｉｃａｌｓ製、「サーフィノール４６５」）：０．２５ｗｔ％とを用いた以外は、前記実施例４と同様にしてインク組成物を得た。
（実施例１３）
ｐＨ調製剤として、トリエタノールアミンに代えて、水酸化カリウムを用いた以外は、前記実施例３と同様にしてインク組成物を得た。
【００３５】
（比較例１）
着色剤Ｅとしてキサンテン系染料であるローダミン６ＧＣＰ−Ｎ（保土谷化学製）と、エチレングリコール（保湿剤）と、アセチレングルコール系界面活性剤（Ａｉｒ  Ｐｒｏｄｕｃｔｓ  ａｎｄ  Ｃｈｅｍｉｃａｌｓ製、「サーフィノール８２」）と、水とを、表１に示すような混合比（配合比）で混合してインク組成物を得た。
【００３６】
（比較例２〜４）
着色剤ＦとしてＣ．Ｉ．Ｂａｓｉｃ  Ｒｅｄ２７を含有する組成物（日本化薬製、「Ｋａｙａｃｒｙｌ  Ｂｒｉｌｌ．Ｐｉｎｋ  Ｂ−ＥＤ」）と、エチレングリコール（保湿剤）と、アセチレングルコール系界面活性剤（Ａｉｒ  Ｐｒｏｄｕｃｔｓ  ａｎｄ  Ｃｈｅｍｉｃａｌｓ製、「サーフィノール８２」）と、水とを、表１に示すような混合比（配合比）で混合してインク組成物を得た。
【００３７】
２．評価試験
２−１．印刷
ＴＭ−Ｊ２１００（セイコーエプソン社製）を用い、カートリッジとしてＳＪＩＣ３Ｋ（黒）のインクを、それぞれ、各実施例および各比較例で調製したインクに変更して、普通紙である王子レジ４５ｋｇ紙（王子製紙製）に、所定領域にベタ印刷を行い、ベタ印刷領域（記録部）を形成して印刷物を得た。
【００３８】
２−２．評価
この印刷物に対して、分光蛍光光度計ＦＰ−６５００（日本分光（株）製）の落射ユニットを用いて蛍光強度を測定した。
すなわち、図２に示すように、印刷物に、キセノン光源を分光し、スリット幅５ｎｍの条件で取り出した５００ｎｍの波長の光（単色光）を、印刷物の垂直方向に対して４５°傾斜した方向から照射して、印刷物の垂直方向において、印刷物からの光をスリット幅５ｎｍの条件で受光し、回折格子で波長４００ｎｍから７００ｎｍまで、５ｎｍ間隔で分光した。
【００３９】
そして、ベタ印刷領域における５３０ｎｍより長い波長の光の積算強度Ｘと、ベタ印刷領域以外の非印刷部分における５２５ｎｍ以下の波長の光の積算強度Ｙとを測定し、これらの強度比率（＝Ｘ／Ｙ×１００）を求めた。
上記構成と同様の光学読み取り装置で印刷領域を読み込ませた場合、強度比率が大きいほど検出精度は高い。
この結果を表１に示す。
【００４０】
【表１】
2004292680.tif 000002
【００４１】
各実施例で調製されたインク組成物（本発明のインク組成物）を使用して印刷された印刷物は、いずれも、検出精度が高いものであるのに対し、各比較例で調整されたインク組成物を使用して印刷された印刷物は、いずれも、検出精度が低いものであった。
このようなことから、各実施例で調製したインク組成物を用いて、例えば真正品と偽造品とを判別する判別情報を印刷（印字）しておくことにより、例えば、本実施例に記載した構成と同様の光源と受光素子とを搭載した光学読み取り装置を用いて、精度よく真偽判定を行うことができる。
【図面の簡単な説明】
【図１】本発明に用いられるヘッドの外観斜視図である。
【図２】図１に示すヘッドを図１中の矢印方向から見た断面図である。
【図３】インクジェット記録装置の構成例を示す斜視図である。
【図４】蛍光を検出する方法を示す模式図である。
【符号の説明】
１……インクジェット記録装置  ２……ヘッド  ３……キャリッジ  ４……ガイド軸  ５……キャリッジモータ  ６……ベルト  ７……キャップ  ８……印字紙  ９……紙送りローラ  １０……紙押えローラ  １１……排出ローラ  ２１……ノズル板  ２２……キャビティ板  ２３……配線板  ２４……圧力室  ２５……オリフィス  ２６……共通インク室  ２７……振動板  ２８……振動室  ２９……個別電極  ３０……インク液滴  ２１１……薄肉部  ２１２……厚肉部  ２１３……ノズル孔  ９００……普通紙  ９１０……光源  ９２０……受光素子
【図１】
2004292680.tif 000003
【図２】
2004292680.tif 000004
【図３】
2004292680.tif 000005
【図４】
2004292680.tif 000006